(57)【要約】【課題】利便性を向上するともに広告の訴求効果を向上できる広告媒体を提供する。【解決手段】外面に広告を印刷した対向する前面板２及び背面板３の両側方をそれぞれ側面板４で連結した筒状に形成され、設置面上に立設される広告媒体１において、前面板２及び背面板３が水平方向の中央部を互いに接着して外面を凹面に形成される。【選択図】図１
2015108694.tif 000002
【特許請求の範囲】
【請求項１】
外面に広告を印刷した対向する前面板及び背面板の両側方をそれぞれ側面板で連結した筒状に形成され、設置面上に立設される広告媒体において、前記前面板及び前記背面板が水平方向の中央部を互いに接着して外面を凹面に形成されることを特徴とする広告媒体。
【請求項２】
前記側面板が上下方向に延びた折り線から成る側面折畳み部により水平方向に折り畳み可能に形成され、前記側面折畳み部に交差して前記側面板から切り起こされる第１補強部を設けたことを特徴とする請求項１に記載の広告媒体。
【請求項３】
前記側面板の上方及び下方に折り線を介して連設される第２補強部を設けたことを特徴とする請求項２に記載の広告媒体。
【請求項４】
前記前面板、前記背面板及び前記側面板上に連続して水平方向に延びる環状の折り線から成る上下折畳み部により上下方向に折り畳み可能にしたことを特徴とする請求項２または請求項３に記載の広告媒体。
【請求項５】
前記前面板の上部と一方の前記側面板の上部と第１糊代とを折り線を介して連設した第１ブランク板と、前記背面板の上部と他方の前記側面板の上部と第２糊代とを折り線を介して連設した第２ブランク板と、前記前面板の下部と一方の前記側面板の下部と第３糊代とを折り線を介して連設した第３ブランク板と、前記背面板の下部と他方の前記側面板の下部と第４糊代とを折り線を介して連設した第４ブランク板とを備え、第１ブランク板と第２ブランク板とを第１糊代及び第２糊代により対向する位置で接着して第１筒状体を形成するとともに、第３ブランク板と第４ブランク板とを第３糊代及び第４糊代により対向する位置で接着して第２筒状体を形成し、第１筒状体の下方に第２筒状体を連結したことを特徴とする請求項１〜請求項４のいずれかに記載の広告媒体。
【請求項６】
前記前面板、前記背面板及び前記側面板がカード紙により形成されることを特徴とする請求項１〜請求項５のいずれかに記載の広告媒体。
【請求項７】
前記前面板及び前記背面板の一方の下部または両方のそれぞれの下部を覆うとともに外面を凸面に形成して内面側に空洞部を形成する被覆板と、前記空洞部内に配して設置面上に設置される支持部材と、前記支持部材の上面に載置して前記空洞部を覆う棚板とを備えたことを特徴とする請求項１〜請求項５のいずれかに記載の広告媒体。
【請求項８】
前記前面板及び前記背面板の一方の下部または両方のそれぞれの下部を覆うとともに外面を凸面に形成して内面側に空洞部を形成する被覆板と、前記空洞部内に配して設置面上に設置される支持部材と、前記支持部材の上面に載置して前記空洞部を覆う棚板とを備え、前記被覆板の上端が前記上下折畳み部よりも下方に配されることを特徴とする請求項４に記載の広告媒体。
【請求項９】
前記支持部材が複数の支持板を格子状に組み立てて形成されることを特徴とする請求項７または請求項８に記載の広告媒体。
【請求項１０】
前記前面板、前記背面板、前記側面板、前記正面板及び前記棚板がカード紙により形成され、前記支持板が段ボール紙により形成されることを特徴とする請求項９に記載の広告媒体。
【請求項１１】
外面に広告を印刷した対向する前面板及び背面板の両側方をそれぞれ側面板で連結した筒状に形成され、設置面上に立設される広告媒体において、
前記前面板の上部と一方の前記側面板の上部と第１糊代とを折り線を介して連設したカード紙から成る第１ブランク板と、前記背面板の上部と他方の前記側面板の上部と第２糊代とを折り線を介して連設したカード紙から成る第２ブランク板と、前記前面板の下部と一方の前記側面板の下部と第３糊代とを折り線を介して連設したカード紙から成る第３ブランク板と、前記背面板の下部と他方の前記側面板の下部と第４糊代とを折り線を介して連設したカード紙から成る第４ブランク板とを備え、第１ブランク板と第２ブランク板とを第１糊代及び第２糊代により対向する位置で接着して形成される第１筒状体の下方に、第３ブランク板と第４ブランク板とを第３糊代及び第４糊代により対向する位置で接着して形成される第２筒状体を粘着テープにより連結し、前記前面板及び前記背面板が水平方向の中央部を互いに接着して外面を凹面に形成され、
前記側面板に設けた上下方向に延びた折り線から成る側面折畳み部と、前記側面折畳み部に交差して前記側面板から切り起こされる第１補強部と、前記側面板の上方及び下方に折り線を介して連設される第２補強部と、第１筒状体上に設けた水平方向に延びる環状の折り線から成る上下折畳み部とを有し、
前記側面折畳み部により前記側面板を水平方向に折り畳むとともに前記上下折畳み部により第１筒状体を上下方向に折り畳んで搬送されるとともに、前記上下折畳み部及び前記側面折畳み部を折り戻し、第１補強部及び第２補強部を前記側面板から折り曲げることにより前記側面板を伸長して設置されることを特徴とする広告媒体。
【請求項１２】
前記前面板及び前記背面板の一方の下部または両方のそれぞれの下部を覆って両側端で接着されるとともに外面を凸面に形成して内面側に空洞部を形成するカード紙から成る被覆板と、スリットを有する段ボール紙から成る複数の支持板を前記スリットに互いに挿入して格子状に組み立てて形成されるとともに前記空洞部内に配して設置面上に設置される支持部材と、前記支持部材の上面に載置して前記空洞部を覆うカード紙から成る棚板とを備え、前記被覆板の上端が前記上下折畳み部よりも下方に配されることを特徴とする請求項１１に記載の広告媒体。
【発明の詳細な説明】
【技術分野】
【０００１】
本発明は、床面等に立設される広告媒体に関する。
【背景技術】
【０００２】
従来、スーパーマーケットやドラッグストア等の店舗において新商品の販促キャンペーンを行う場合、顧客に対してその商品をいかに目立たせて強く印象付けるかが商品の購買チャンスを高めることにつながる。このように、顧客に商品を印象付ける手段として、商品に関する情報を表示した広告媒体（ＰＯＰ広告）を店舗内の床面等に配置するのが効果的である。
【０００３】
店舗の床面等に立設される従来の広告媒体は特許文献１に開示される。この広告媒体は広告表示域を一面に形成する前面板を有し、前面板の両側方にそれぞれ折り線を介して背側板が連設される。前面板には水平な折り線から成る複数の折畳み部が設けられ、背側板は折畳み部で仕切られた各領域に対してそれぞれ設けられる。また、前面板の左右の端部は接着剤により背側板の端部に接着される。
【０００４】
上記構成の広告媒体は左右の背側板を前面板の背面に重ねて配置し、前面板が折畳み部により上下方向に折り畳まれた状態で設置場所へ搬送される。設置場所では折畳み部を折り戻して前面板を伸長し、両側方の背側板の開放端が互いに係止される。これにより、水平断面が略三角形の筒状の広告媒体が形成され、店舗内等に立設される。この時、前面板の左右の端部が背側板に接着されるため、前面板の前面の広告表示域が凹面に形成される。
【０００５】
従って、広告媒体をコンパクトに折り畳んで容易に搬送できるとともに、前面板の広告表示域を凹面に形成して顧客に対して広告表示域の全体を見えやすくすることができる。
【先行技術文献】
【特許文献】
【０００６】
【特許文献１】実願平４−３０６８４号（第３図）
【発明の概要】
【発明が解決しようとする課題】
【０００７】
しかしながら、上記従来の広告媒体によると、前面板の前面が広告表示域となるため、顧客が広告媒体の背後から広告表示域を視認できない。このため、広告媒体を設置する向きや場所に制約を受けて広告媒体の利便性が低下するとともに、広告の訴求効果が低い問題があった。
【０００８】
本発明は、利便性を向上するともに広告の訴求効果を向上できる広告媒体を提供することを目的としている。
【課題を解決するための手段】
【０００９】
上記目的を達成するために本発明は、外面に広告を印刷した対向する前面板及び背面板の両側方をそれぞれ側面板で連結した筒状に形成され、設置面上に立設される広告媒体において、前記前面板及び前記背面板が水平方向の中央部を互いに接着して外面を凹面に形成されることを特徴としている。この構成によると、筒状の広告媒体が設置面上に設置され、凹面から成る前面板及び背面板の外面上に印刷される広告が顧客に視認される。
【００１０】
また本発明は、上記構成の広告媒体において、前記側面板が上下方向に延びた折り線から成る側面折畳み部により水平方向に折り畳み可能に形成され、前記側面折畳み部に交差して前記側面板から切り起こされる第１補強部を設けたことを特徴としている。この構成によると、側面板を側面折畳み部で折り畳み、水平方向の中央部が接着される前面板と背面板とを重ねた状態で広告媒体が設置場所に搬送される。広告媒体の組み立て時には側面折畳み部を折り戻し、第１補強部を側面板から切り起こして側面板が伸長される。これにより、前面部及び背面部の外面が凹面に保持される。
【００１１】
また本発明は、上記構成の広告媒体において、前記側面板の上方及び下方に折り線を介して連設される第２補強部を設けたことを特徴としている。
【００１２】
また本発明は、上記構成の広告媒体において、前記前面板、前記背面板及び前記側面板上に連続して水平方向に延びる環状の折り線から成る上下折畳み部により上下方向に折り畳み可能にしたことを特徴としている。この構成によると、側面板を側面折畳み部で折畳んで前面板と背面板とを重ね、更に上下折畳み部により上下方向に折り畳んだ状態で広告媒体が設置場所に搬送される。
【００１３】
また本発明は、上記構成の広告媒体において、前記前面板の上部と一方の前記側面板の上部と第１糊代とを折り線を介して連設した第１ブランク板と、前記背面板の上部と他方の前記側面板の上部と第２糊代とを折り線を介して連設した第２ブランク板と、前記前面板の下部と一方の前記側面板の下部と第３糊代とを折り線を介して連設した第３ブランク板と、前記背面板の下部と他方の前記側面板の下部と第４糊代とを折り線を介して連設した第４ブランク板とを備え、第１ブランク板と第２ブランク板とを第１糊代及び第２糊代により対向する位置で接着して第１筒状体を形成するとともに、第３ブランク板と第４ブランク板とを第３糊代及び第４糊代により対向する位置で接着して第２筒状体を形成し、第１筒状体の下方に第２筒状体を連結したことを特徴としている。
【００１４】
また本発明は、上記構成の広告媒体において、前記前面板及び前記背面板の一方の下部または両方のそれぞれの下部を覆うとともに外面を凸面に形成して内面側に空洞部を形成する被覆板と、前記空洞部内に配して設置面上に設置される支持部材と、前記支持部材の上面に載置して前記空洞部を覆う棚板とを備えたことを特徴としている。
【００１５】
この構成によると、被覆板を前面板または背面板に重ねた状態で広告媒体が設置場所に搬送される。広告媒体の組み立て時には前面板または背面板と被覆板との間に空洞部を形成して支持部材を挿入し、支持部材上に棚板が配される。支持部材に支持される棚板上に商品が載置される。
【００１６】
また本発明は、上記構成の広告媒体において、前記前面板及び前記背面板の一方の下部または両方のそれぞれの下部を覆うとともに外面を凸面に形成して内面側に空洞部を形成する被覆板と、前記空洞部内に配して設置面上に設置される支持部材と、前記支持部材の上面に載置して前記空洞部を覆う棚板とを備え、前記被覆板の上端が前記上下折畳み部よりも下方に配されることを特徴としている。
【００１７】
また本発明は、上記構成の広告媒体において、前記支持部材が複数の支持板を格子状に組み立てて形成されることを特徴としている。
【００１８】
また本発明は、上記構成の広告媒体において、前記前面板、前記背面板、前記側面板、前記正面板及び前記棚板がカード紙により形成され、前記支持板が段ボール紙により形成されることを特徴としている。
【００１９】
また本発明は、外面に広告を印刷した対向する前面板及び背面板の両側方をそれぞれ側面板で連結した筒状に形成され、設置面上に立設される広告媒体において、
前記前面板の上部と一方の前記側面板の上部と第１糊代とを折り線を介して連設したカード紙から成る第１ブランク板と、前記背面板の上部と他方の前記側面板の上部と第２糊代とを折り線を介して連設したカード紙から成る第２ブランク板と、前記前面板の下部と一方の前記側面板の下部と第３糊代とを折り線を介して連設したカード紙から成る第３ブランク板と、前記背面板の下部と他方の前記側面板の下部と第４糊代とを折り線を介して連設したカード紙から成る第４ブランク板とを備え、第１ブランク板と第２ブランク板とを第１糊代及び第２糊代により対向する位置で接着して形成される第１筒状体の下方に、第３ブランク板と第４ブランク板とを第３糊代及び第４糊代により対向する位置で接着して形成される第２筒状体を粘着テープにより連結し、前記前面板及び前記背面板が水平方向の中央部を互いに接着して外面を凹面に形成され、
前記側面板に設けた上下方向に延びた折り線から成る側面折畳み部と、前記側面折畳み部に交差して前記側面板から切り起こされる第１補強部と、前記側面板の上方及び下方に折り線を介して連設される第２補強部と、第１筒状体上に設けた水平方向に延びる環状の折り線から成る上下折畳み部とを有し、
前記側面折畳み部により前記側面板を水平方向に折り畳むとともに前記上下折畳み部により第１筒状体を上下方向に折り畳んで搬送されるとともに、前記上下折畳み部及び前記側面折畳み部を折り戻し、第１補強部及び第２補強部を前記側面板から折り曲げることにより前記側面板を伸長して設置されることを特徴としている。
【００２０】
また本発明は、上記構成の広告媒体において、前記前面板及び前記背面板の一方の下部または両方のそれぞれの下部を覆って両側端で接着されるとともに外面を凸面に形成して内面側に空洞部を形成するカード紙から成る被覆板と、スリットを有する段ボール紙から成る複数の支持板を前記スリットに互いに挿入して格子状に組み立てて形成されるとともに前記空洞部内に配して設置面上に設置される支持部材と、前記支持部材の上面に載置して前記空洞部を覆うカード紙から成る棚板とを備え、前記被覆板の上端が前記上下折畳み部よりも下方に配されることを特徴としている。
【発明の効果】
【００２１】
本発明によると、前面板及び背面板が水平方向の中央部を互いに接着して外面を凹面に形成される。これにより、広告媒体の前面及び背面が凹面の広告表示域となり、顧客に対して広告表示域の全体を見えやすくできるとともに、広告媒体を設置する向きや場所の制約が緩和される。従って、広告媒体の利便性を向上するともに広告の訴求効果を向上することができる。
【図面の簡単な説明】
【００２２】
【図１】本発明の第１実施形態の広告媒体を示す斜視図
【図２】本発明の第１実施形態の広告媒体の上部を形成するブランク板を示す展開図
【図３】本発明の第１実施形態の広告媒体の下部を形成するブランク板を示す展開図
【図４】本発明の第１実施形態の広告媒体の各ブランク板を連結した状態の展開図
【図５】本発明の第１実施形態の広告媒体の搬送時の状態を示す斜視図
【図６】本発明の第２実施形態の広告媒体を示す斜視図
【図７】本発明の第２実施形態の広告媒体の被覆板を形成するブランク板を示す展開図
【図８】本発明の第２実施形態の広告媒体の棚板を示す上面図
【図９】本発明の第２実施形態の広告媒体の支持部材を示す上面図
【図１０】本発明の第２実施形態の広告媒体の支持部材の支持板を示す正面図
【図１１】本発明の第２実施形態の広告媒体の支持部材の支持板を示す正面図
【図１２】本発明の第２実施形態の広告媒体の支持部材の支持板を示す正面図
【発明を実施するための形態】
【００２３】
＜第１実施形態＞
以下に図面を参照して本発明の実施形態を説明する。図１は第１実施形態の広告媒体を示す斜視図である。広告媒体１は対向する前面板２及び背面板３の両側方を側面板４で連結した筒状に形成され、床面等の設置面上に立設される。広告媒体１の横幅×高さ×奥行は例えば、約６５０ｍｍ×約１２５０ｍｍ×約２００ｍｍに形成される。広告媒体１はブランク板２１、２２から成る筒状体１１（第１筒状体）の下方に、ブランク板２３、２４（２４は図４参照）から成る筒状体１２（第２筒状体）を連結して形成される。
【００２４】
前面板２と背面板３とは水平方向の中央部を接着剤１５（図４参照）により接着される。これにより、前面板２及び背面板３の広告が印刷される外面が凹面に形成され、顧客に対して広告表示域の全体を見えやすくすることができる。
【００２５】
詳細を後述するように、両側面板４には上下方向に延びた折り線３６（図２参照）から成る側面折畳み部３６ａが設けられる。また、上方の筒状体１１には前面板２、背面板３及び側面板４に連続した水平方向に延びる環状の折り線３６（図２参照）から成る上下折畳み部３６ｂが設けられる。
【００２６】
図２、図３はブランク板２１及びブランク板２３の展開図をそれぞれ示している。ブランク板２１及びブランク板２２（図４参照）はカード紙により同一形状に形成され、ブランク板２３及びブランク板２４（図４参照）はカード紙により同一形状に形成される。
【００２７】
ブランク板２１は折り線３６を介して正面部２８、側面部３１及び糊代３５が連設される。正面部２８は前面板２の上部を形成し、側面部３１は一方の側面板４の上部を形成する。ブランク板２１と同一形状のブランク板２２（図４参照）の正面部２８は背面板３の上部を形成し、側面部３１は他方の側面板４の上部を形成する。
【００２８】
ブランク板２３は折り線３６を介して正面部２９、側面部３２及び糊代３５が連設される。正面部２９は前面板２の下部を形成し、側面部３２は一方の側面板４の下部を形成する。ブランク板２３と同一形状のブランク板２４（図４参照）の正面部２９は背面板３の下部を形成し、側面部３２は他方の側面板４の下部を形成する。
【００２９】
側面部３１、３２には上下方向に延びる折り線３６によって側面折畳み部３６ａが設けられる。側面板４（図１参照）を側面折畳み部３６ａで折り畳むことにより、前面板２及び背面板３が重ねられる。
【００３０】
側面部３１、３２上には側面折畳み部３６ａに交差したコ字状のスリット３７の両端を折り線３６で連結して切り起こされる補強部５（第１補強部）が設けられる。また、側面部３１の上方及び側面部３２の下方には折り線３６を介して補強部６（第２補強部）が設けられる。補強部５及び補強部６を折り線３６で側面板４から折り曲げることにより、側面折畳み部３６ａを折り戻した側面板４を伸長することができる。
【００３１】
また、ブランク板２１、２２の下部には水平方向に延びる折り線３６によって上下折畳み部３６ｂが設けられる。側面折畳み部３６ａで折り畳んで重ねられた前面板２及び背面板３が上下折畳み部３６ｂで上下方向に折り畳まれる。
【００３２】
図３はブランク板２１、２２、２３、２４を連結した状態を示す展開図である。ブランク板２２の糊代３５はブランク板２１の正面部２８に接着剤により接着され、ブランク板２４の糊代３５はブランク板２３の正面部２９に接着剤により接着される。ブランク板２１、２２の下方には粘着テープ１６によってブランク板２３、２４が連結される。
【００３３】
そして、ブランク板２１の糊代３５がブランク板２２の糊代３５に対向する位置でブランク板２２の正面部２８に接着剤により接着される。また、ブランク板２３の糊代３５がブランク板２４の糊代３５に対向する位置でブランク板２４の正面部２９に接着剤により接着される。これにより、筒状体１１、１２を粘着テープ１６で上下に連結した広告媒体１が４枚のブランク板２１〜２４により形成され、印刷機や裁断機の制約を受けることなく大型の広告媒体１を実現することができる。
【００３４】
また、前面板２の上部を形成するブランク板２１、２２の正面部２８の水平方向の中央部は互いに接着剤１５により接着される。前面板２の下部を形成するブランク板２３、２４の正面部２９の水平方向の中央部は互いに接着剤１５により接着される。これにより、前面板２及び背面板３の外面が凹面に形成される。
【００３５】
図５は広告媒体１の搬送時の状態を示す斜視図である。広告媒体１は側面板４を側面折畳み部３６ａ（図１参照）で折り畳むことで前面板２と背面板３とが重ねられ、上下折畳み部３６ｂにより上下方向に二つ折りに折り畳まれる。これにより、広告媒体１をコンパクトに折り畳んで設置場所へ容易に搬送することができる。
【００３６】
設置場所では上下折畳み部３６ｂ及び側面折畳み部３６ａを折り戻し、補強部５、６が側面板４から折り線３６で折り曲げられる。補強部５、６により側面折畳み部３６ａで折り戻した側面板４を伸長することができる。また、側面板４の伸長によって前面板２及び背面板３の外面が凹面に形成されるため、上下折畳み部３６ｂで折曲される前面板２及び背面板３を伸長することができる。これにより、筒状の広告媒体１を容易に組み立てて設置面上に設置することができる。設置面上に設置された広告媒体１は凹面から成る前面板２及び背面板３の外面上に印刷される広告が顧客に視認される。
【００３７】
本実施形態によると、前面板２及び背面板３が水平方向の中央部を互いに接着して外面を凹面に形成される。これにより、広告媒体１の前面及び背面が凹面の広告表示域となり、顧客に対して広告表示域の全体を見えやすくできるとともに、広告媒体１を設置する向きや場所の制約が緩和される。従って、広告媒体１の利便性を向上するともに広告の訴求効果を向上することができる。
【００３８】
また、上下に延びる折り線３６から成る側面折畳み部３６ａに交差して側面板４から切り起こされる補強部５（第１補強部）を設けたので、側面板４を容易に伸長して広告媒体１を組み立てることができる。従って、広告媒体１の利便性をより向上することができる。
【００３９】
また、側面板４の上方及び下方に折り線３６を介して連設される補強部６（第２補強部）を設けたので、側面板４をより容易に伸長することができる。
【００４０】
また、広告媒体１が４枚のブランク板２１、２２、２３、２４（第１〜第４ブランク板）を連結して形成される。ブランク板２１は前面板２の上部と一方の側面板４の上部と糊代３５とを折り線３６を介して連設される。ブランク板２２は前面板２の上部と他方の側面板４の上部と糊代３５とを折り線３６を介して連設される。ブランク板２３（第３ブランク板）は前面板２の下部と一方の側面板４の下部と糊代３５とを折り線３６を介して連設される。ブランク板２４は前面板２の下部と他方の側面板４の下部と糊代３５とを折り線３６を介して連設される。
【００４１】
ブランク板２１及びブランク板２２は糊代３５により対向する位置で接着して筒状体１１（第１筒状体）を形成する。ブランク板２３及びブランク板２４は糊代３５により対向する位置で接着して筒状体１２（第２筒状体）を形成する。そして、筒状体１１の下方に筒状体１２が連結され、前面板２と背面板３とが水平方向の中央部で接着される。これにより、印刷機や裁断機の制約を受けることなく筒状の大型の広告媒体１を容易に実現することができる。
【００４２】
また、前面板２、背面板３及び側面板４がカード紙により形成されるので、強度が高く立設時の型崩れを防止するとともに美観のよい広告媒体１を実現することができる。
【００４３】
＜第２実施形態＞
次に、図６は第２実施形態の広告媒体１の斜視図を示している。説明の便宜上、前述の図１〜図５に示す第１実施形態と同様の部分には同一の符号を付している。本実施形態は第１実施形態と同様の広告媒体の前面及び背面に商品を載置して展示する棚板８が設けられる。その他の部分は第１実施形態と同様である。
【００４４】
前面板２及び背面板３の下部には前面板２及び背面板３をそれぞれ覆う２つの被覆板７が設けられる。被覆板７は外面を凸面に形成され、外面が凹面の前面板２及び背面板３に面した内面側に空洞部１０（図９参照）を形成する。空洞部１０内には支持部材９（図９参照）が挿入され、棚板８が支持部材８上に載置される。
【００４５】
図７は被覆板７を形成するブランク板２５の展開図を示している。ブランク板２５はカード紙により形成され、正面部３０の両側方に折り線３６を介して糊代３５が連設される。ブランク板２５の糊代３５を前面板２の両側端部及び背面板３の両側端部に接着することにより、前面板２及び背面板３の下部が被覆板７により覆われる。
【００４６】
この時、ブランク板２５の正面部３０の横幅はブランク板２１〜２４の正面部２８、２９の横幅と同じ長さに形成される。このため、側面板４の折り畳みにより重ねられる前面板２及び背面板３上に被覆板７を重ねることができる。また、被覆板７の上端は上下折畳み部３６ｂ（図６参照）よりも下方に配され、前面板２及び背面板３が上下折畳み部３６ｂで折り畳まれる。これらにより、広告媒体１を前述の図５と同様に、コンパクトに折り畳んで搬送することができる。広告媒体１を組み立てる際は、被覆板７の水平方向の中央部を前面板２及び背面板３から引き離し、被覆板７の外面が凸面に保持される。
【００４７】
図８は棚板８の上面図を示している。棚板８はカード紙により形成され、外面が凹面の前面板２及び背面板３に外面が凸面の被覆板７が対向して形成される空洞部１０（図９参照）を覆うリーフ形状に形成される。
【００４８】
図９は支持部材９の上面図を示している。支持部材９は水平断面がリーフ形状の空洞部１０内に挿入して設置面上に設置される。支持部材９は段ボール紙から成る複数の支持板４１、４２、４３を格子状に組み立てて形成される。
【００４９】
図１０、図１１、図１２はそれぞれ支持板４１、４２、４３の正面図を示している。支持板４１は空洞部１０内に左右方向に延びて配され、上部に複数の直線状のスリット４４が設けられる。支持板４２、４３は空洞部１０内に前後方向に延びて配され、下部に複数の直線状のスリット４４が設けられる。支持板４１のスリット４４に支持板４２、４３を差し込み、格子状の支持部材９が組み立てられる。
【００５０】
支持部材９は組み立てられた状態から支持板４２、４３を倒して支持板４１上に重ねることによってコンパクトに畳んで搬送することができる。広告媒体１の設置場所では、支持板４２、４３を起こして支持部材９が空洞部１０に挿入され、支持部材９の上面に棚板８が載置される。これにより、広告媒体１を容易に組み立てることができるとともに、棚板８上に商品を載置して展示することができる。
【００５１】
支持板４１〜４３は棚板８により覆われて外部から視認されないため、段ボール紙により形成しても広告媒体１の美観低下を防止するとともにコストを削減できる。また、支持板４１〜４３は棚板８及び商品が載置されるため、カード紙よりも強度の高い段ボール紙により商品の重量による広告媒体１の型崩れを防止することができる。
【００５２】
本実施形態によると、第１実施形態と同様の効果に加え、外面が凸面の被覆板７の内面側に形成される空洞部１０内に挿入した支持部材９上に棚板８を載置するので、商品を棚板８上に展示して商品の広告の訴求効果をより向上させることができる。また、被覆板７を前面板２及び背面板３に重ねて広告媒体１をコンパクトに折り畳んで搬送することができる。
【００５３】
また、被覆板７の上端が上下折畳み部３６ｂよりも下方に配されるので、広告媒体１を上下方向に容易に折り畳むことができる。
【００５４】
また、支持部材９が複数の支持板４１、４２、４３を格子状に組み立てて形成されるので、棚板８及び商品が載置される支持部材９の強度を容易に高くすることができる。また、支持板４２、４３を倒して支持部材９をコンパクトに畳んで搬送することができる。
【００５５】
また、前面板２、背面板３、側面板４及び棚板８がカード紙により形成されるので、強度が高く美観のよい広告媒体１を実現できる。また、支持板４１〜４３が段ボール紙により形成されるので、広告媒体１の美観低下を防止するとともに商品の重量による広告媒体１の型崩れを防止することができる。
【００５６】
本実施形態において、広告媒体１の前面及び背面に被覆板７、棚板８及び支持部材９が設けられるが、広告媒体１の前面及び背面の一方のみに被覆板７、棚板８及び支持部材９を設けて商品を展示してもよい。
【産業上の利用可能性】
【００５７】
本発明によると、店舗の床面等に立設される広告媒体に利用することができる。
【符号の説明】
【００５８】
１    広告媒体
２    前面板
３    背面板
４    側面板
５、６  補強部
７    被覆板
８    棚板
９    支持部材
１０    空洞部
１１、１２  筒状体
１５    接着剤
１６    粘着テープ
２１、２２、２３、２４、２５  ブランク板
２８、２９、３０  正面部
３１、３２  側面部
３５    糊代
３６    折り線
３６ａ  側面折畳み部
３６ｂ  上下折畳み部
３７、４４  スリット
４１、４２、４３  支持板
【図１】
2015108694.tif 000003
【図２】
2015108694.tif 000004
【図３】
2015108694.tif 000005
【図４】
2015108694.tif 000006
【図５】
2015108694.tif 000007
【図６】
2015108694.tif 000008
【図７】
2015108694.tif 000009
【図８】
2015108694.tif 000010
【図９】
2015108694.tif 000011
【図１０】
2015108694.tif 000012
【図１１】
2015108694.tif 000013
【図１２】
2015108694.tif 000014